(57)【要約】【課題】リンクの参照関係に制限のあるファイル編成の変更に適したファイル配置変更装置を提供する。【解決手段】ファイル配置変更装置１００は、リアルタイム放送により配信されるファイルを収容する放送フォルダと非リアルタイム放送により配信されるファイルを収容する非放送フォルダとを含んだファイル構造で記録媒体に記録されたファイル群のうち、一部のファイルの配置を変更するファイル配置変更装置であって、非放送フォルダ配下のファイルに記載されたリンク情報が放送フォルダ配下のファイルを指している場合に、当該放送フォルダ配下のファイルを非放送フォルダの配下にコピーし（ステップＳ７０８）、当該リンク情報がコピー先を指すよう修正する（ステップＳ７０９）。【選択図】　　　　　図７
2004139183.tif 000002
【特許請求の範囲】
【請求項１】
リアルタイム放送により配信されるファイルを収容する放送フォルダと非リアルタイム放送により配信されるファイルを収容する非放送フォルダとを含んだファイル構造で記録媒体に記録されたファイル群のうち、一部のファイルの配置を変更するファイル配置変更装置であって、
移動対象のファイルを移動先のフォルダへ移動させる移動手段と、
前記移動対象のファイルの移動が放送フォルダの配下から非放送フォルダの配下への移動であって、かつ、前記移動対象のファイルが放送フォルダの配下にあるファイルを指すリンク情報を有するか否かを判定する判定手段と、
前記判定手段により肯定的な判定がなされた場合に限り、前記リンク情報が指すファイルを非放送用のフォルダ内へコピーし、当該コピーしたファイルの所在を示すよう前記リンク情報を修正するコピー手段と
を備えることを特徴とするファイル配置変更装置。
【請求項２】
前記ファイル配置変更装置は、さらに、
前記移動対象のファイルの移動が非放送フォルダの配下から放送フォルダの配下への移動であって、かつ、当該移動対象のフォルダを指すリンク情報を有するファイルが非放送フォルダの配下にあるか否かを判定する第２の判定手段を備え、
前記第２の判定手段により肯定的な判定がなされた場合に、前記移動対象のフォルダを非放送フォルダの配下にコピーし、前記リンク情報を有するファイルのリンク情報を当該コピーしたファイルの所在を示すように修正する
ことを特徴とする請求項１に記載のファイル配置変更装置。
【請求項３】
前記移動手段は、
移動対象のファイル及び移動先のフォルダを特定する移動情報を取得する取得手段を備え、
前記移動情報により特定される移動対象のファイルを前記移動情報により特定される移動先のフォルダへ移動させる
ことを特徴とする請求項１に記載のファイル配置変更装置。
【請求項４】
前記移動手段は、さらに、
予め所定のフォルダを特定する所定フォルダ情報を記憶し、
前記移動情報により特定される移動先のフォルダが前記所定フォルダ情報により特定されるフォルダではない場合に限り、前記移動を行う
ことを特徴とする請求項３に記載のファイル配置変更装置。
【請求項５】
前記移動手段は、さらに、
前記特定情報により特定される移動先のフォルダが前記所定フォルダ情報により特定されるフォルダである場合に、当該移動先のフォルダとは別のフォルダの配下に前記移動対象のファイルを移動させる
ことを特徴とする請求項４に記載のファイル配置変更装置。
【請求項６】
前記ファイル配置は、前記放送フォルダ配下のファイル群を前記非放送フォルダの配下のファイル群が記録された前記記録媒体とは別の記録媒体に記録されることを前提としたファイル配置であり、
前記コピー手段による前記リンク情報の修正は、少なくとも、前記リンク情報の内容に前記別の記録媒体を識別する情報を含ませることを処理内容とする
ことを特徴とする請求項１記載のファイル配置変更装置。
【請求項７】
前記放送フォルダの配下に収容されたファイル群は、リアルタイム放送により配信され、前記非放送フォルダの配下に収容されたファイルは蓄積放送又はインターネット通信により配信される
ことを特徴とする請求項１から６のいずれかに記載のファイル配置変更装置。
【請求項８】
リアルタイム放送により配信されるファイルを収容するフォルダと非リアルタイム放送により配信されるファイルを収容するフォルダとを含んだファイル構造で記録媒体に記録されたファイル群であって、ファイルの識別子及び所在を示すリンク情報を有するリンク保有ファイルを含むファイル群のうち、一部のファイルの配置を変更するファイル配置変更装置であって、
移動対象のファイルを移動先のフォルダへ移動させ、前記移動に伴って不整合となる所在を示すリンク情報を有するリンク保有ファイルについて、そのリンク情報が示す所在を修正するファイル移動手段と、
前記修正されたリンク情報を有するリンク保有ファイルが非放送フォルダの配下にある場合であって、かつ、当該リンク情報が示すファイルが放送フォルダの配下にあるとき、当該リンク情報が示すファイルを非放送フォルダの配下にコピーし、コピーしたファイルの所在を示すように前記リンク情報を再修正するコピー手段と
を備えることを特徴とするファイル配置変更装置。
【請求項９】
リアルタイム放送により配信されるファイルを収容する放送フォルダと非リアルタイム放送により配信されるファイルを収容する非放送フォルダとを含んだファイル構造で記録媒体に記録されたファイル群のうち、一部のファイルの配置を変更するファイル配置変更方法であって、
移動対象のファイルを移動先のフォルダへ移動させる移動ステップと、
前記移動対象のファイルの移動が放送フォルダの配下から非放送フォルダの配下への移動であって、かつ、前記移動対象のファイルが放送フォルダの配下にあるファイルを指すリンク情報を有するか否かを判定する判定ステップと、
前記判定ステップにより肯定的な判定がなされた場合に限り、前記リンク情報が指すファイルを非放送フォルダ内へコピーし、当該コピーしたファイルの所在を示すよう前記リンク情報を修正するコピーステップと
を含むことを特徴とするファイル配置変更方法。
【請求項１０】
リアルタイム放送により配信されるファイルを収容するフォルダと非リアルタイム放送により配信されるファイルを収容するフォルダとを含んだファイル構造で記録媒体に記録されたファイル群であって、ファイルの識別子及び所在を示すリンク情報を有するリンク保有ファイルを含むファイル群のうち、一部のファイルの配置を変更するファイル配置変更方法であって、
移動対象のファイルを移動先のフォルダへ移動させ、前記移動に伴って不整合となる所在を示すリンク情報を有するリンク保有ファイルについて、そのリンク情報が示す所在を修正するファイル移動ステップと、
前記修正されたリンク情報を有するリンク保有ファイルが非放送フォルダの配下にある場合であって、かつ、当該リンク情報が示すファイルが放送フォルダの配下にあるとき、当該リンク情報が示すファイルを非放送フォルダの配下にコピーし、コピーしたファイルの所在を示すように前記リンク情報を再修正するコピーステップと
を含むことを特徴とするファイル配置変更方法。
【請求項１１】
リアルタイム放送により配信されるファイルを収容する放送フォルダと非リアルタイム放送により配信されるファイルを収容する非放送フォルダとを含んだファイル構造で記録媒体に記録されたファイル群のうち、一部のファイルの配置を変更するプログラムであって、当該プログラムはコンピュータに、
移動対象のファイルを移動先のフォルダへ移動させる移動ステップと、
前記移動対象のファイルの移動が放送フォルダの配下から非放送フォルダの配下への移動であって、かつ、前記移動対象のファイルが放送フォルダの配下にあるファイルを指すリンク情報を有するか否かを判定する判定ステップと、
前記判定ステップにより肯定的な判定がなされた場合に限り、前記リンク情報が指すファイルを非放送フォルダ内へコピーし、当該コピーしたファイルの所在を示すよう前記リンク情報を修正するコピーステップと
を実行させることを特徴とするファイル配置変更プログラム。
【請求項１２】
リアルタイム放送により配信されるファイルを収容するフォルダと非リアルタイム放送により配信されるファイルを収容するフォルダとを含んだファイル構造で記録媒体に記録されたファイル群であって、ファイルの識別子及び所在を示すリンク情報を有するリンク保有ファイルを含むファイル群のうち、一部のファイルの配置を変更するプログラムであって、当該プログラムはコンピュータに、
移動対象のファイルを移動先のフォルダへ移動させ、前記移動に伴って不整合となる所在を示すリンク情報を有するリンク保有ファイルについて、そのリンク情報が示す所在を修正するファイル移動ステップと、
前記修正されたリンク情報を有するリンク保有ファイルが非放送フォルダの配下にある場合であって、かつ、当該リンク情報が示すファイルが放送フォルダの配下にあるとき、当該リンク情報が示すファイルを非放送フォルダの配下にコピーし、コピーしたファイルの所在を示すように前記リンク情報を再修正するコピーステップと
を実行させることを特徴とするファイル配置変更プログラム。
【発明の詳細な説明】
【０００１】
【発明の属する技術分野】
本発明は、蓄積型双方向放送サービスに対応したコンテンツを制作するためのコンテンツ編集装置に関し、特にコンテンツを構成するファイル編成を変更する技術に関する。
【０００２】
【従来の技術】
ＢＳ／１１０度デジタル放送を利用した蓄積型双方向放送サービスは、リアルタイム放送、蓄積型放送及びインターネット通信の各配信態様を融合したコンテンツ配信サービスである。各配信態様のコンテンツデータに他の配信態様のコンテンツデータへのリンクが埋め込まれていることにより、画期的なサービスを実現することができる。
【０００３】
具体的にショッピングサービスを例に説明すると、最初に受信機は、蓄積型放送により放送される商品カタログ番組を受信してハードディスクに蓄積する。続いてリアルタイム放送により、先の商品カタログ番組を宣伝する番組が放送されると、その宣伝番組を受信と同時にリアルタイム再生する。宣伝番組には、先の商品カタログ番組へのリンクが設定されており、受信機は宣伝番組の再生中に商品カタログ番組へのリンクボタンを画面表示する。
【０００４】
商品カタログ番組へのリンクボタンが視聴者のリモコン操作により選択されると、受信機はハードディスクに蓄積された商品カタログ番組を再生する。商品カタログ番組には、インターネットサーバにある商品購入ｗｅｂページへのリンクが設定されており、商品カタログ番組の再生中にそのリンクボタンを画面表示する。
【０００５】
商品購入ｗｅｂページへのリンクボタンがリモコン操作により選択されると、受信機はインターネットサーバに接続して商品購入ｗｅｂページを取得し表示する。
最後に受信機は、視聴者により必要事項が入力された商品注文書をインターネットサーバに送信する。
【０００６】
ところで従来、デジタル放送用のコンテンツを制作するためのツールとして、コンテンツを構成する各ファイルの内容及び編成を定めるコンテンツ編集装置がある。このコンテンツ編集装置は、各ファイルをアイコン化してコンテンツのファイル編成を視覚的に表示し、ファイルのアイコンがマウス操作で移動されるのに従ってファイル編成を変更するファイル配置変更機能を持つ（例えば、特許文献１）。
【０００７】
【特許文献１】
特開２０００−９００７９号公報
【０００８】
【発明が解決しようとする課題】
しかしながら従来のファイル配置変更機能は、リアルタイム放送用のコンテンツを編集することを想定して構成されており、蓄積型双方向放送サービスのように異なる配信態様が混合されたコンテンツのファイル編成を変更するのには適していない。
【０００９】
具体的には、インターネット通信により配信されるデータは、受信機からの要求により任意の時刻に配信されるものであるのに対し、リアルタイム放送により配信されるデータは予定された時刻に配信されるものである。このため受信機側では、任意の時刻に、インターネット通信用のファイルからリアルタイム放送用のファイルを参照することは、原則不可能である。よってファイル編成の変更においては、このような参照関係の発生を防ぐ必要がある。
【００１０】
また、上記のように時間的な問題による参照関係の制約だけでなく、実際の運用においては、受信機の実装上やニーズ等により、各種の参照関係の制約が定められており、この運用上の参照関係の制約に従って編集する必要がある。
上記参照関係の制約に対処するためには、従来のファイル配置変更機能においては、コンテンツ制作者が、上記参照関係に注意しつつファイル編成の変更を行い、さらに、変更作業終了後には、ファイルに記述された各リンク情報を視認チェックして、上記参照関係の不具合を発見した場合には手作業で修正しなければならない。
【００１１】
上記問題に鑑み、本発明は上述のようにリンク関係に関して制約のあるファイル編成の変更に適したファイル配置変更装置を提供することを目的とする。
【００１２】
【課題を解決するための手段】
上記問題を解決するため、本発明のファイル配置変更装置は、リアルタイム放送により配信されるファイルを収容する放送フォルダと非リアルタイム放送により配信されるファイルを収容する非放送フォルダとを含んだファイル構造で記録媒体に記録されたファイル群のうち、一部のファイルの配置を変更するファイル配置変更装置であって、移動対象のファイルを移動先のフォルダへ移動させる移動手段と、前記移動対象のファイルの移動が放送フォルダの配下から非放送フォルダの配下への移動であって、かつ、前記移動対象のファイルが放送フォルダの配下にあるファイルを指すリンク情報を有するか否かを判定する判定手段と、前記判定手段により肯定的な判定がなされた場合に限り、前記リンク情報が指すファイルを非放送用のフォルダ内へコピーし、当該コピーしたファイルの所在を示すよう前記リンク情報を修正するコピー手段とを備える。
【００１３】
また、前記ファイル配置変更装置は、さらに、前記移動対象のファイルの移動が非放送フォルダの配下から放送フォルダの配下への移動であって、かつ、当該移動対象のフォルダを指すリンク情報を有するファイルが非放送フォルダの配下にあるか否かを判定する第２の判定手段を備え、前記第２の判定手段により肯定的な判定がなされた場合に、前記移動対象のフォルダを非放送フォルダの配下にコピーし、前記リンク情報を有するファイルのリンク情報を当該コピーしたファイルの所在を示すように修正することを特徴とする。
【００１４】
また、前記移動手段は、移動対象のファイル及び移動先のフォルダを特定する移動情報を取得する取得手段を備え、前記移動情報により特定される移動対象のファイルを前記移動情報により特定される移動先のフォルダへ移動させることを特徴とする。
また、前記移動手段は、さらに、予め所定のフォルダを特定する所定フォルダ情報を記憶し、前記移動情報により特定される移動先のフォルダが前記所定フォルダ情報により特定されるフォルダではない場合に限り、前記移動を行うことを特徴とする。
【００１５】
また、前記移動手段は、さらに、前記特定情報により特定される移動先のフォルダが前記所定フォルダ情報により特定されるフォルダである場合に、当該移動先のフォルダとは別のフォルダの配下に前記移動対象のファイルを移動させることを特徴とする。
また、前記ファイル配置は、前記放送フォルダ配下のファイル群を前記非放送フォルダの配下のファイル群が記録された前記記録媒体とは別の記録媒体に記録されることを前提としたファイル配置であり、前記コピー手段による前記リンク情報の修正は、少なくとも、前記リンク情報の内容に前記別の記録媒体を識別する情報を含ませることを処理内容とすることを特徴とする。
【００１６】
また、前記放送フォルダの配下に収容されたファイル群は、リアルタイム放送により配信され、前記非放送フォルダの配下に収容されたファイルは蓄積放送又はインターネット通信により配信されることを特徴とする。
リアルタイム放送により配信されるファイルを収容するフォルダと非リアルタイム放送により配信されるファイルを収容するフォルダとを含んだファイル構造で記録媒体に記録されたファイル群であって、ファイルの識別子及び所在を示すリンク情報を有するリンク保有ファイルを含むファイル群のうち、一部のファイルの配置を変更するファイル配置変更装置であって、移動対象のファイルを移動先のフォルダへ移動させ、前記移動に伴って不整合となる所在を示すリンク情報を有するリンク保有ファイルについて、そのリンク情報が示す所在を修正するファイル移動手段と、前記修正されたリンク情報を有するリンク保有ファイルが非放送フォルダの配下にある場合であって、かつ、当該リンク情報が示すファイルが放送フォルダの配下にあるとき、当該リンク情報が示すファイルを非放送フォルダの配下にコピーし、コピーしたファイルの所在を示すように前記リンク情報を再修正するコピー手段とを備える。
【００１７】
本発明のファイル配置変更方法は、リアルタイム放送により配信されるファイルを収容する放送フォルダと非リアルタイム放送により配信されるファイルを収容する非放送フォルダとを含んだファイル構造で記録媒体に記録されたファイル群のうち、一部のファイルの配置を変更するファイル配置変更方法であって、
移動対象のファイルを移動先のフォルダへ移動させる移動ステップと、
前記移動対象のファイルの移動が放送フォルダの配下から非放送フォルダの配下への移動であって、かつ、前記移動対象のファイルが放送フォルダの配下にあるファイルを指すリンク情報を有するか否かを判定する判定ステップと、
前記判定ステップにより肯定的な判定がなされた場合に限り、前記リンク情報が指すファイルを非放送フォルダ内へコピーし、当該コピーしたファイルの所在を示すよう前記リンク情報を修正するコピーステップとを含むことを特徴とする。
【００１８】
本発明のファイル配置変更方法は、リアルタイム放送により配信されるファイルを収容するフォルダと非リアルタイム放送により配信されるファイルを収容するフォルダとを含んだファイル構造で記録媒体に記録されたファイル群であって、ファイルの識別子及び所在を示すリンク情報を有するリンク保有ファイルを含むファイル群のうち、一部のファイルの配置を変更するファイル配置変更方法であって、移動対象のファイルを移動先のフォルダへ移動させ、前記移動に伴って不整合となる所在を示すリンク情報を有するリンク保有ファイルについて、そのリンク情報が示す所在を修正するファイル移動ステップと、前記修正されたリンク情報を有するリンク保有ファイルが非放送フォルダの配下にある場合であって、かつ、当該リンク情報が示すファイルが放送フォルダの配下にあるとき、当該リンク情報が示すファイルを非放送フォルダの配下にコピーし、コピーしたファイルの所在を示すように前記リンク情報を再修正するコピーステップとを含むことを特徴とす。
【００１９】
本発明のファイル配置変更プログラムは、リアルタイム放送により配信されるファイルを収容する放送フォルダと非リアルタイム放送により配信されるファイルを収容する非放送フォルダとを含んだファイル構造で記録媒体に記録されたファイル群のうち、一部のファイルの配置を変更するプログラムであって、当該プログラムはコンピュータに、移動対象のファイルを移動先のフォルダへ移動させる移動ステップと、前記移動対象のファイルの移動が放送フォルダの配下から非放送フォルダの配下への移動であって、かつ、前記移動対象のファイルが放送フォルダの配下にあるファイルを指すリンク情報を有するか否かを判定する判定ステップと、前記判定ステップにより肯定的な判定がなされた場合に限り、前記リンク情報が指すファイルを非放送フォルダ内へコピーし、当該コピーしたファイルの所在を示すよう前記リンク情報を修正するコピーステップとを実行させることを特徴とする。
【００２０】
本発明のファイル配置変更プログラムは、リアルタイム放送により配信されるファイルを収容するフォルダと非リアルタイム放送により配信されるファイルを収容するフォルダとを含んだファイル構造で記録媒体に記録されたファイル群であって、ファイルの識別子及び所在を示すリンク情報を有するリンク保有ファイルを含むファイル群のうち、一部のファイルの配置を変更するプログラムであって、当該プログラムはコンピュータに、移動対象のファイルを移動先のフォルダへ移動させ、前記移動に伴って不整合となる所在を示すリンク情報を有するリンク保有ファイルについて、そのリンク情報が示す所在を修正するファイル移動ステップと、前記修正されたリンク情報を有するリンク保有ファイルが非放送フォルダの配下にある場合であって、かつ、当該リンク情報が示すファイルが放送フォルダの配下にあるとき、当該リンク情報が示すファイルを非放送フォルダの配下にコピーし、コピーしたファイルの所在を示すように前記リンク情報を再修正するコピーステップとを実行させることを特徴とする。
【００２１】
【発明の実施の形態】
以下、本発明の実施形態について図面を用いて説明する。
図１は、本実施形態のコンテンツ編集装置と当該装置により制作されるコンテンツを配信する蓄積型双方向放送サービスシステムの構成を示す。
同図において蓄積型双方向放送サービスは、コンテンツ編集装置１００、送出装置１０、送信アンテナ１１、衛星１２、受信アンテナ１３、受信装置１４、ＨＤＤ（Ｈａｒｄ　Ｄｉｓｋ　Ｄｒｉｖｅ）１５、デジタルＴＶ受像機１６、インターネット１７及びサーバ１８から構成される。
【００２２】
コンテンツ編集装置１００は、リアルタイム放送、蓄積型放送及びインターネット通信のそれぞれの配信態様のデータを組み合わせてなるコンテンツを制作するための装置である。コンテンツ制作者は、どの配信態様のデータについても、ＨＴＭＬ言語を用いて、インターネット用のＨＴＭＬコンテンツを制作する場合と同じ要領で記述すればよく、配信態様毎に規定の記述言語で記述する必要はない。制作されたコンテンツは最終的にはコンテンツ編集装置１００により各配信態様のデータ形式に変換されて送出装置１０及びサーバ１８に転送される。
【００２３】
コンテンツ編集装置１００はリアルタイム放送用及び蓄積放送用それぞれのデータを、送出装置１０に転送する。送出装置１０は、データを送出順に送信アンテナ１１に送出し、送出されたデータは、送信アンテナ１１、衛星１２を介して受信アンテナ１３に受信される。受信アンテナ１３により受信されたリアルタイム放送用のデータは受信装置１４によりリアルタイム再生されてデジタルＴＶ受像機１６に表示される。また受信アンテナ１３により受信された蓄積放送用のデータは一旦ＨＤＤ１５に蓄積され、後に受信装置１４が視聴者の再生指示に応じてＨＤＤ１５から蓄積放送用のデータを読み出して再生し、デジタルＴＶ受像機１６に表示する。
【００２４】
一方、コンテンツ編集装置１００はインターネット通信用のデータをサーバ１８に転送する。サーバ１８はインターネットに接続されており、受信側からの要求に応じて通信用のデータを受信側へ転送する双方向通信を行う。
図２は、コンテンツ編集装置１００の構成を示すブロック図である。
同図においてコンテンツ編集装置１００は、ＨＴＭＬコンテンツ記憶部６００、構成情報編集部６０１、構成情報記憶部６０２、表示部６０３、指示入力部６０４、ＢＭＬコンテンツ生成制御部６０５、言語形式変換部６０６、ＵＲＬ変換部６０７、ＢＭＬコンテンツ記憶部６０８、運用ガイドライン検証部６０９及び付加情報編集部６１０から構成される。
【００２５】
ＨＴＭＬコンテンツ記憶部６００は、リアルタイム放送、蓄積型放送及びインターネット通信用のデータをＨＴＭＬ言語により制作するためのオーサリングソフトウェアを制作者に提供し、制作されたＨＴＭＬ言語のデータを記憶する。
構成情報記憶部６０２は、ファイル及びフォルダに関する構成情報を記憶する。構成情報は、各ファイル及び各フォルダ毎に、ファイル名又はフォルダ名、ファイルであるかフォルダであるかの識別子、フォルダパス、データ形式、記憶場所等から構成される。フォルダパスは、ルートからファイル又はフォルダまでのパスを示す。データ形式は、ファイルがトランスポートストリームデータ、ＪＰＥＧデータ、ＨＴＭＬデータ、ＢＭＬデータ等のいずれであるかを示し、又は、フォルダがリアルタイム放送フォルダ、蓄積型放送フォルダ、インターネット通信フォルダ、カルーセルデータ用のフォルダ、トランスポートストリーム用のフォルダ等のいずれであるか等を示す。
【００２６】
表示部６０３は、構成情報編集部６０１からの編集情報や運用ガイドライン検証部６０９からのエラーメッセージの情報等を表示するためのディスプレイである。
指示入力部６０４は、構成情報編集部６０１への編集指示を入力するためのキーボード及びマウス等のポインディングデバイスで構成される。
【００２７】
構成情報編集部６０１は、構成情報記憶部６０２に記憶される構成情報に基づいて、ファイル及びフォルダをアイコン化してフォルダツリーを生成して表示部６０３に表示し、指示入力部６０４から入力されるマウス操作等の指示に応じて表示中のフォルダツリーの編成を変更し、この変更に応じてファイルのリンク情報の変更、構成情報記憶部６０２に記憶された構成情報の変更を行う。
【００２８】
ＢＭＬコンテンツ生成制御部６０５は、言語形式変換部６０６によってＨＴＭＬ言語からＢＭＬ言語に変換されたデータをＢＭＬコンテンツ記憶部６０８に出力する。
言語形式変換部６０６は、ＨＴＭＬコンテンツ記憶部６００に記憶されたＨＴＭＬ言語のデータを各配信態様に応じた言語形式に変換する。
【００２９】
ＵＲＬ変換部６０７は、コンテンツを構成するファイルの移動に応じてファイルに記述されたＵＲＬを変更する。
ＢＭＬコンテンツ記憶部６０８は、ＢＭＬ言語に変換されたデータを記憶する。
運用ガイドライン検証部６０９は、ＨＴＭＬコンテンツがＡＲＩＢ規格で規定された運用ガイドラインを満たした記述がなされているかどうかをチェックする。そして満たしていない部分を検出した場合には、エラー又は警告メッセージを表示部６０３に表示する。このチェックの内容は、運用ガイドラインの変更に対応して変更され得る。
【００３０】
付加情報編集部６１０は、フォーカス移動制御等、「デジタル放送におけるデータ放送符号化方式と伝送方式　ＡＲＩＢ　ＳＴＤ−Ｂ２４　３．３版　第二編ＸＭＬベースのマルチメディア符号化方式」で規定された、ＨＴＭＬ言語にはない、ＢＭＬ言語特有の情報を編集するためのソフトウェアで構成される。
次に、コンテンツ編集装置１００の動作の概要を説明する。
【００３１】
図３は、構成情報編集部６０１により生成され表示される１コンテンツのフォルダツリーの一例を示す。
コンテンツフォルダは、リアルタイム放送用の放送フォルダ、蓄積型放送用の蓄積フォルダ、インターネット通信用の通信フォルダから構成され、各配信態様のフォルダには、各配信態様のデータを構成するファイル又はフォルダが格納されている。
【００３２】
ここで、ｍｅｎｕ．ｂｍｌは静止画ファイルであるｂｇ．ｊｐｇへのリンクが設定されているものとする。すなわち、ｍｅｎｕ．ｂｍｌのデータ中にはｂｇ．ｊｐｇのリンク情報である「ｂｇ．ｊｐｇ」が記述されており、ｍｅｎｕ．ｂｍｌの実行時にｂｇ．ｊｐｇが呼び出されることを意味する。ｍｅｎｕ．ｂｍｌとｂｇ．ｊｐｇはともに０００１フォルダの配下にあるので、リンク情報は「ｂｇ．ｊｐｇ」というようにフォルダパスを省略したファイル名のみで表される。
【００３３】
またｓｔａｒｔｕｐ．ｂｍｌとｉｎｄｅｘ１．ｂｍｌにはｍｅｎｕ．ｂｍｌへのリンクが設定されているものとする。それぞれのファイルに記述されたリンク情報は、「．．／０００１／ｍｅｎｕ．ｂｍｌ」、「．．／．．／．．／．．／放送／ｄａｔａ＿ｅｓ／ｃａｒｏｕｓｅｌ／０００１／ｍｅｎｕ．ｂｍｌ」と表される。
【００３４】
同図に描かれた矢印線は、マウス操作によって、ｍｅｎｕ．ｂｍｌがｓｉｔｅフォルダへとドラッグ＆ドロップされる様子を表す。ここでドラッグ＆ドロップの操作は、ドラッグされたファイル又はフォルダをドロップ位置のフォルダの配下へと移動させる指示を示すものである。
このドラッグ＆ドロップの操作の結果、図４に示すようにｍｅｎｕ．ｂｍｌはｓｉｔｅフォルダに移動される。この移動により、ｍｅｎｕ．ｂｍｌは、通信フォルダの配下に収容され、インターネット通信により配信されることになる。
【００３５】
ここでインターネット通信により配信されるデータは、視聴者のリクエストにより任意の時間帯に配信されるが、リアルタイム放送により配信されるデータは一方向通信により予定された時間帯に配信されるものである。よってインターネット通信により配信されたｍｅｎｕ．ｂｍｌを受信機が解釈実行して、ｂｇ．ｊｐｇを呼び出したとしても、受信機はリアルタイム放送により配信されるｂｇ．ｊｐｇを取得することができない。
【００３６】
この事態を防ぐために、構成情報編集部６０１は、放送フォルダの配下にあるファイルが蓄積フォルダ又は通信フォルダの配下に移動された場合であって、その移動対象のファイルが放送フォルダのファイルへのリンク情報を保有している場合を検出して、図５に示す警告メッセージを表示する。
図５に示すように、構成情報編集部６１０は、通信データであるｍｅｎｕ．ｂｍｌが放送データであるｂｇ．ｊｐｇを参照することは運用違反である旨を警告し、運用違反を解決するためにｂｇ．ｊｐｇをｍｅｎｕ．ｂｍｌファイルの格納場所と同じフォルダにコピーするか否かを制作者に問合せる。
【００３７】
この問合せに応じて視聴者が「はい」のボタンを選択すると、図６に示すようにｂｇ．ｊｐｇがｍｅｎｕ．ｂｍｌと同じｓｉｔｅフォルダにコピーされる。このコピーによりｍｅｎｕ．ｂｍｌは、実行時にｂｇ．ｊｐｇをインターネットサーバより取得して利用することができる。
次に構成情報編集部６１０の動作を詳細説明する。
【００３８】
図７は、構成情報編集部６１０の処理手順を示すフローチャートである。
構成情報編集部６１０は、フォルダツリーを表示している状態において、ファイル又はフォルダのアイコンがドラッグ操作されたことを検出する（ステップＳ７００）。ここでドラッグ操作とは、ファイル又はフォルダのアイコンの上にマウスポインタが重なっている状態で、マウスボタンが押され、押されたままの状態でマウスが移動される操作である。
【００３９】
構成情報編集部６１０は、ドラッグ操作されたファイル又はフォルダに関する情報を取得する（ステップＳ７０１）。ファイル又はフォルダに関する情報とはすなわち構成情報のことである。ファイルがドラッグ操作された場合にはそのファイルに係る構成情報が取得され、フォルダがドラッグ操作された場合には、そのフォルダに係る構成情報と、フォルダ配下にある全てのファイル及びフォルダに係る構成情報が取得される。構成情報が取得されたファイル又はフォルダを移動対象ファイル又は移動対象フォルダと呼ぶこととする。また移動対象フォルダの配下にあるファイル及びフォルダも移動対象ファイル及びフォルダと呼ぶこととする。
【００４０】
構成情報編集部６１０は、ドラッグ操作によりマウスが移動されている間、マウスポインタの現在位置を取得し、マウスポインタが移動対象ファイル又はフォルダを配置することが可能なフォルダを指している場合には、移動対象ファイル等のアイコンをマウスポインタの位置に表示し、それ以外の場合には禁止マークアイコンを表示する。
【００４１】
より詳しくは、構成情報編集部６１０はマウスポインタの現在位置を取得し（ステップＳ７０２）、マウスポインタが表示画像上の何を指しているかを判断する。この判断は、具体的には、フォルダアイコンを指しているかフォルダアイコン以外の画像部分を指しているかを判定し、またフォルダアイコンを指している場合には、そのフォルダの構成情報を取得する処理等を含む。
【００４２】
続いて構成情報編集部６１０は、上記判断結果と移動対象ファイル又はフォルダの構成情報とに応じて、現在位置がフォルダ以外の画像部分を指している場合、ファイルの書き込みが禁止されている特定のフォルダを指している場合、及び、移動対象ファイル又は移動対象フォルダが移動禁止のものである場合には、マウスポインタの現在位置に禁止マークアイコンを表示する。
【００４３】
ここにおいて、ファイルの書き込みが禁止されている特定のフォルダとは、例えば、図３に示すａｖフォルダである。ａｖフォルダは、ｔｔｓファイルのみ格納することができる。よって移動対象ファイルがｔｔｓファイルでない場合に、マウスポインタがａｖフォルダを指すと、構成情報編集部６１０はマウスポインタの位置に禁止マークアイコンを表示する。また移動対象ファイルを通信フォルダの直下に移動させようとした場合にも、通信フォルダの直下にはファイルを格納することができないので、禁止マークアイコンが表示される。
【００４４】
また移動禁止のものとは、ａｖフォルダに格納されたｔｔｓファイルの他、放送フォルダ、蓄積フォルダ及び通信フォルダなどである。
構成情報編集部６１０は、ドラッグ操作の間、ステップＳ７０２及びステップＳ７０３を繰り返し、ドロップ操作がされると（ステップＳ７０４）、ステップＳ７０５に進む。ここでドロップ操作とは、ドラッグ操作の最中に押され続けていたマウスボタンが離される操作である。
【００４５】
構成情報編集部６１０は、ドロップ操作された時点でのマウスポインタの位置に関する情報を取得する（ステップＳ７０５）。この情報は、上述のステップＳ７０２の処理とほぼ同じである。すなわち、構成情報編集部６１０は、マウスポインタがフォルダアイコンを指しているか、フォルダアイコン以外の画像部分を指しているかを判定し、またフォルダアイコンを指している場合には、そのフォルダの構成情報を取得する処理を行う。
【００４６】
続いて構成情報編集部６１０は、ステップＳ７０５の処理結果と移動対象ファイル又はフォルダの構成情報とに応じて、当該移動対象ファイル又はフォルダが移動可能であるか否かを判定する（ステップＳ７０６）。この判定では、具体的には、ドロップ位置がフォルダ（以下、移動先フォルダと呼ぶ）であって、移動対象ファイル又は移動対象ファイルと移動先フォルダのフォルダパスが同一でない場合に移動可能であると判定される。
【００４７】
構成情報編集部６１０は、移動可能と判定された移動対象ファイルまたは移動対象フォルダを移動先フォルダへ移動させる（ステップＳ７０７）。
さらに構成情報編集部６１０は、コピー処理を行う（ステップＳ７０８）。詳しくは図８にて説明するが、簡単には、移動対象のファイルが放送フォルダから他のフォルダへ移動する場合であって、移動対象のファイルがリンク保有ファイルである場合に、そのリンク先のファイルを移動先フォルダにコピーする処理である。ここでリンク保有ファイルとは、リンク情報が埋め込まれたファイルのことである。
【００４８】
最後に構成情報編集部６１０は各リンク保有ファイルのリンク情報が正しくリンク先のファイルを指すように、ファイルの移動により不整合となったリンク情報のフォルダパスを修正する（ステップＳ７０９）。
図８は、ステップＳ７０８のコピー処理の処理手順を示すフローチャートである。
【００４９】
同図において構成情報編集部６１０は、移動対象ファイル又は移動対象フォルダが、移動前において、放送フォルダの配下に収容されているものであるか否かを判定する（ステップＳ８００）。
判定の結果、放送フォルダの配下に収容されているものである場合には、構成情報編集部６１０は、移動対象ファイル又は移動対象フォルダに含まれる各ファイルのうち、リンク保有ファイルについて、そのリンク情報が指すリンク先ファイルを特定する（ステップＳ８０１）。
【００５０】
構成情報編集部６１０は、リンク先ファイルが移動対象フォルダに収容されたものでなく、かつ、放送フォルダに収容されているものであると判定した場合（ステップＳ８０２においてＹｅｓ）、リンク先ファイルを移動先フォルダにコピーする（ステップＳ８０３）。
ここにおいてリンク先ファイルが移動対象フォルダに収容されたものでないか否かを判定しているのは、リンク保有ファイルが移動対象フォルダに含まれていれば、当該リンク保有ファイルはステップＳ７０７の移動により移動先フォルダに移動されるので、移動先フォルダにコピーする必要がないので、このようなリンク保有ファイルをコピーの対象から除外するためである。
【００５１】
また放送フォルダに収容されているものであるか否かを判定しているのは、放送フォルダ外のフォルダに収容されたリンク先ファイルは、コピーする必要がないのでコピーの対象から除外するためである。
構成情報編集部６１０は、ステップＳ８０２の判定により絞り込まれたリンク先ファイルを移動先フォルダにコピーする（ステップＳ８０３）。
【００５２】
このようにして移動、コピー及びリンク情報の修正等の編集が終了したファイル群はその後、リアルタイム放送、蓄積放送、インターネット通信のそれぞれの配信用の記録媒体に転送される。
図９は、図７及び図８とは別の手法を用いた構成情報編集部６１０の処理手順を示すフローチャートである。
【００５３】
構成情報編集部６１０は、ｍｅｎｕ．ｂｍｌをｓｉｔｅフォルダにドラッグ＆ドロップする（ステップＳ９０１）。
続いて移動先が配置可能なフォルダかどうかをチェックする（ステップＳ９０２）。放送、蓄積それぞれによって、ファイルの格納フォルダが決まっているため、それ以外の部分にはドロップできない。例えば、蓄積コンテンツの場合は、ａｖフォルダにはｔｔｓファイルのみがおける。またｄａｔａフォルダにはｔｔｓファイル以外のファイルがおける。これらの制約は運用仕様として規定されている。配置可能な場合は、ステップＳ９０３を実行し、ファイルを移動させる。配置不可能な場合は、ステップＳ９０１に進み処理を終了する。
【００５４】
図１０は、通信フォルダにファイルを移動しようとした場合の一例である。通信フォルダ内には制約によりファイルを配置できないため、移動不可を意味する斜め線の禁止マークアイコンが表示され、ドロップできない。
続いて構成情報編集部６１０は、ＵＲＬ記述を持つファイルであって、移動したファイルへのリンクを持つほかのファイルを全て検索し、それらの全てのリンクを移動したファイルへのリンクに変換する。ここでは、ｍｅｎｕ．ｂｍｌはｓｔａｒｔｕｐ．ｂｍｌとｉｎｄｅｘ１．ｂｍｌからリンクされているので、それらのＵＲＬを変換する。「．．／０００１／ｍｅｎｕ．ｂｍｌ」は、放送から通信へのリンクのため、次のＵＲＬに変換する。すなわち、「ｈｔｔｐ：／／ｗｗｗ．ｍｅｉ．ｃｏ．ｊｐ／ｃｏｎｔｅｎｔｓ／ｍｅｎｕ．ｂｍｌ」。「．．／．．／．．／．．／放送／ｄａｔａ＿ｅｓ／ｃａｒｏｕｓｅｌ／０００１／ｍｅｎｕ．ｂｍｌ」は、蓄積から通信へのリンクのため、次のＵＲＬに変換する。すなわち「ｈｔｔｐ：／／ｗｗｗ．ｍｅｉ．ｃｏ．ｊｐ／ｃｏｎｔｅｎｔｓ／ｍｅｎｕ．ｂｍｌ」。
【００５５】
移動したファイルから他のファイルへのリンクの内、相対パスを持つものを変換する（ステップＳ９０５）。ここでは、ｍｅｎｕ．ｂｍｌは静止画ファイルであるｂｇ．ｊｐｇを相対パスで参照している。したがって、ｂｇ．ｊｐｇは、次のＵＲＬに変換する。ａｒｉｂ−ｄｃ：／／１．１．１．１／４０／０００１／ｂｇ．ｊｐｇ。
【００５６】
次にＵＲＬ変換により、運用ガイドライン違反が発生したかチェックする（ステップＳ９０６）。ここで、通信コンテンツから放送で伝送されるＪＰＥＧファイルの参照は運用で禁止されている場合を考える。この場合は、ステップＳ９０７を実行する。運用違反がない場合はステップＳ９１０を実行する。
エラーメッセージを表示部６０３に出力する（ステップＳ９０７）。
【００５７】
運用ガイドライン違反のＵＲＬで示されるファイルをリンク元と同じコンテンツにコピーするかどうかを制作者に判断させるダイアログボックス（図５）を表示する（ステップＳ９０８）。制作者が「はい」を押下すると、ステップＳ９０９を実行する。「いいえ」を実行するとステップＳ９１０で終了する。
運用ガイドライン違反のＵＲＬで示されるファイルをリンク元と同じコンテンツ内にコピーし、ＵＲＬを修正する（ステップＳ９０９）。ここでは、運用違反になるｂｇ．ｊｐｇをｓｉｔｅフォルダにコピーをする。そして、ｍｅｎｕ．ｂｍｌ内のＵＲＬをａｒｉｂ−ｄｃ：／／１．１．１．１／４０／０００１／ｂｇ．ｊｐｇからｂｇ．ｊｐｇに変換する。もし、同じ名前のファイルが既に存在する場合は、ファイルはシステムが決めたファイル名にリネームされる。以上の処理の結果、フォルダツリーは図６のようになる。
【００５８】
なお、これらコピー処理やＵＲＬ修正処理は、アンドゥ機能によりやり直しができる。
以上のように、放送、蓄積、通信の間でファイルの移動を行った場合、ＵＲＬの自動変換を行うことができる。また、自動変換によって、運用違反になった場合はエラーメッセージを表示し、必要なら運用違反がなくなるようにリンク先ファイルを移動先フォルダへコピーすることによって自動修正することができるため、放送、蓄積、通信が連携したコンテンツの制作をより効率的に行うことができる。
【００５９】
図３〜図６の例及び図７及び８の処理では、放送フォルダから他の移動先フォルダへとリンク保有ファイルが移動された場合に、リンク先ファイルを移動先フォルダへコピーする例及び処理を示しているが、この例に限られない。蓄積又は通信フォルダの配下から放送フォルダの配下にファイルが移動され、その結果、蓄積又は通信フォルダの配下にあるリンク保有ファイルが、放送フォルダに配置されたファイルを指すことになった場合には、当該放送フォルダに配置されたファイルは当該リンク保有ファイルと同じフォルダにコピーされる。
【００６０】
また、本実施形態においては、ファイルを移動させる場合を例に、リンク先のファイルのコピー及びリンク情報の修正等の処理を説明したが、ファイルを移動対象として移動させる場合のみでなく、フォルダを移動対象とする場合にも、リンク先のファイルのコピー及びリンク情報の修正等の処理が適用される。
なお、本発明は、上記各フロチャートの処理手順を含む方法であるとしてもよい。また、これらの方法をコンピュータにより実現するコンピュータプログラムであるとしてもよいし、前記コンピュータプログラムからなるデジタル信号であるとしてもよい。
【００６１】
また、本発明は、前記コンピュータプログラム又は前記デジタル信号をコンピュータ読み取り可能な記録媒体、例えば、フレキシブルディスク、ハードディスク、ＣＤ―ＲＯＭ、ＭＯ、ＤＶＤ、ＤＶＤ−ＲＯＭ、ＤＶＤ−ＲＡＭ、半導体メモリなど、に記録したものとしてもよい。また、これらの記録媒体に記録されている前記コンピュータプログラム又は前記デジタル信号であるとしてもよい。
【００６２】
また、本発明は、前記コンピュータプログラム又は前記デジタル信号を、電気通信回線、無線又は有線通信回線、インターネットを代表とするネットワーク等を経由して伝送するものとしてもよい。
また、本実施形態のコンテンツ編集装置は、他の配信態様からリアルタイム放送のファイルへの参照がある場合について、コピーやリンク変更等の各種処理を行うものであるが、参照関係をこれに限る必要はない。一例として、運用制約やシステム仕様等により、リアルタイム放送のファイルからインターネット通信のファイルへの参照が禁止されている場合においては、コンテンツ編集装置は、リアルタイム放送ファイルからインターネット通信ファイルへの参照関係の発生を検出してコピーやリンク変更等の各種処理を行うよう構成してもよい。
【００６３】
このように本発明は、他からリアルタイム放送のファイルへの参照に限らず、予め定めた特定の参照関係が発生する場合について、その参照関係を無くすために、参照先ファイルの他へのコピー、参照元ファイルのリンク情報の変更等を行うよう構成してもよい。ここで特定の参照関係は、運用上、システム設計上、受信機実装上等、様々な条件に応じて定められる。
【００６４】
【発明の効果】
本発明のファイル配置変更装置は、本発明のファイル配置変更装置は、リアルタイム放送により配信されるファイルを収容する放送フォルダと非リアルタイム放送により配信されるファイルを収容する非放送フォルダとを含んだファイル構造で記録媒体に記録されたファイル群のうち、一部のファイルの配置を変更するファイル配置変更装置であって、移動対象のファイルを移動先のフォルダへ移動させる移動手段と、前記移動対象のファイルの移動が放送フォルダの配下から非放送フォルダの配下への移動であって、かつ、前記移動対象のファイルが放送フォルダの配下にあるファイルを指すリンク情報を有するか否かを判定する判定手段と、前記判定手段により肯定的な判定がなされた場合に限り、前記リンク情報が指すファイルを非放送用のフォルダ内へコピーし、当該コピーしたファイルの所在を示すよう前記リンク情報を修正するコピー手段とを備える。
【００６５】
この構成によればファイル配置変更装置は、非放送フォルダ配下のファイルに記載されたリンク情報が放送フォルダ配下のファイルを指している場合に、当該放送フォルダ配下のファイルを非放送フォルダの配下にコピーし、当該リンク情報がコピー先を指すよう修正する。このコピー及び修正により、非放送フォルダのファイルから放送フォルダのファイルへの参照を断ち切り、同じ非放送フォルダのファイル間で参照できるようにするので、従来のように制作者が視覚チェックと手作業により、参照関係の不具合を修正する必要がなくなるという効果がある。
【００６６】
また前記ファイル配置変更装置は、さらに、前記移動対象のファイルの移動が非放送フォルダの配下から放送フォルダの配下への移動であって、かつ、当該移動対象のフォルダを指すリンク情報を有するファイルが非放送フォルダの配下にあるか否かを判定する第２の判定手段を備え、前記第２の判定手段により肯定的な判定がなされた場合に、前記移動対象のフォルダを非放送フォルダの配下にコピーし、前記リンク情報を有するファイルのリンク情報を当該コピーしたファイルの所在を示すように修正することを特徴とする。
【００６７】
この構成によればファイル配置変更装置は、ファイルが非放送フォルダから放送フォルダへ移された場合において、非放送フォルダのファイルから当該移動されたファイルへのリンクが発生した場合にも、当該移動されたファイルを非放送フォルダにコピーして、リンクの内容がコピー先を指すように修正する。これにより上記と同様の効果がある。
【００６８】
また、前記移動手段は、移動対象のファイル及び移動先のフォルダを特定する移動情報を取得する取得手段を備え、前記移動情報により特定される移動対象のファイルを前記移動情報により特定される移動先のフォルダへ移動させることを特徴とする。
また、前記移動手段は、さらに、予め所定のフォルダを特定する所定フォルダ情報を記憶し、前記移動情報により特定される移動先のフォルダが前記所定フォルダ情報により特定されるフォルダではない場合に限り、前記移動を行うことを特徴とする。
【００６９】
この構成によればファイル配置変更装置は、上記効果に加えて、特定のフォルダへのファイルの移動を制止することができるという効果を有する。特定のフォルダとは、例えば配下に格納できるファイルのタイプに一定の制限のあるフォルダや書き込みが禁止されたフォルダ等である。
また、前記移動手段は、さらに、前記特定情報により特定される移動先のフォルダが前記所定フォルダ情報により特定されるフォルダである場合に、当該移動先のフォルダとは別のフォルダの配下に前記移動対象のファイルを移動させることを特徴とする。
【００７０】
この構成によれば、ファイル配置変更装置は、上記効果に加えて、特定のフォルダへの移動を制止し、当該制止の代わりに他のフォルダへ移動させることができる。
また、前記ファイル配置は、前記放送フォルダ配下のファイル群を前記非放送フォルダの配下のファイル群が記録された前記記録媒体とは別の記録媒体に記録されることを前提としたファイル配置であり、前記コピー手段による前記リンク情報の修正は、少なくとも、前記リンク情報の内容に前記別の記録媒体を識別する情報を含ませることを処理内容とすることを特徴とする。
【００７１】
さらに、前記放送フォルダの配下に収容されたファイル群は、リアルタイム放送により配信され、前記非放送フォルダの配下に収容されたファイルは蓄積放送又はインターネット通信により配信されることを特徴とする。
本発明のファイル配置変更装置は、リアルタイム放送により配信されるファイルを収容するフォルダと非リアルタイム放送により配信されるファイルを収容するフォルダとを含んだファイル構造で記録媒体に記録されたファイル群であって、ファイルの識別子及び所在を示すリンク情報を有するリンク保有ファイルを含むファイル群のうち、一部のファイルの配置を変更するファイル配置変更装置であって、移動対象のファイルを移動先のフォルダへ移動させ、前記移動に伴って不整合となる所在を示すリンク情報を有するリンク保有ファイルについて、そのリンク情報が示す所在を修正するファイル移動手段と、前記修正されたリンク情報を有するリンク保有ファイルが非放送フォルダの配下にある場合であって、かつ、当該リンク情報が示すファイルが放送フォルダの配下にあるとき、当該リンク情報が示すファイルを非放送フォルダの配下にコピーし、コピーしたファイルの所在を示すように前記リンク情報を再修正するコピー手段とを備える。
【００７２】
この構成によれば、ファイル配置変更装置は、リンク情報の変更によって、非放送フォルダのファイルから放送フォルダのファイルへの参照関係が発生した場合に、参照先のファイルを非放送フォルダへコピーし、リンク情報がコピー先を示すように変更することができるので、上記と同様の効果がある。また本ファイル配置変更装置は、前記ファイル移動手段に相当する機能を予め備えた従来の装置に、コピー手段を追加するだけで、従来の装置を用いて簡単に本発明の装置を実現することができるという効果がある。
【図面の簡単な説明】
【図１】本実施形態のコンテンツ編集装置と当該装置により制作されるコンテンツを配信する蓄積型双方向放送サービスシステムの構成を示す。
【図２】コンテンツ編集装置１００の構成を示すブロック図である。
【図３】構成情報編集部６０１により生成され表示されるフォルダツリーの一例を示す。
【図４】ｍｅｎｕ．ｂｍｌがｓｉｔｅフォルダに移動された状態を示す。
【図５】警告メッセージの表示例を示す。
【図６】ｂｇ．ｊｐｇがｍｅｎｕ．ｂｍｌと同じｓｉｔｅフォルダにコピーされた状態を示す。
【図７】構成情報編集部６１０の処理手順を示すフローチャートである。
【図８】ステップＳ７０８のコピー処理の処理手順を示すフローチャートである。
【図９】別の手法を用いた構成情報編集部６１０の処理手順を示すフローチャートである。
【図１０】通信フォルダにファイルを移動しようとした場合の一例である。
【符号の説明】
１０　　送出装置
１１　　送信アンテナ
１２　　衛星
１３　　受信アンテナ
１４　　受信装置
１５　　ＨＤＤ
１６　　デジタルＴＶ受像機
１７　　インターネット
１８　　サーバ
１００　　コンテンツ編集装置
６００　　ＨＴＭＬコンテンツ記憶部
６０１　　構成情報編集部
６０２　　構成情報記憶部
６０３　　表示部
６０４　　指示入力部
６０５　　ＢＭＬコンテンツ生成制御部
６０６　　言語形式変換部
６０７　　ＵＲＬ変換部
６０８　　ＢＭＬコンテンツ記憶部
６０９　　運用ガイドライン検証部
６１０　　付加情報編集部
【図１】
2004139183.tif 000003
【図２】
2004139183.tif 000004
【図３】
2004139183.tif 000005
【図４】
2004139183.tif 000006
【図５】
2004139183.tif 000007
【図６】
2004139183.tif 000008
【図７】
2004139183.tif 000009
【図８】
2004139183.tif 000010
【図９】
2004139183.tif 000011
【図１０】
2004139183.tif 000012